(57)【要約】  システムは、プラグロック組立体と鍵とを備えている。プラグロック組立体は、ラッチを備えるプラグを受けて保持するカバーと、ラッチの下方に位置付け可能なラッチ支持面と、を備えている。停止面とスロットとを備える回転可能なカムは、ラッチ支持面を搬送し、腕部を備えるカムラッチと接触する。腕部は、選択的に、停止面と当接するようにかつスロット内に位置するように位置付け可能である。鍵は、シャフト、鍵タブ及び制限タブを備えている。鍵は、カバーに関連付けられた鍵受部材と結合する。制限タブは、シャフトの頂面に位置付けられており、ラッチ支持部材が過度に回転することを防止することを補助する。
2010532552.tif 000002
【特許請求の範囲】
【請求項１】
ラッチを備えるプラグを受けて保持する開口部を備えるカバーと、
前記カバーと関連するラッチ支持面であって、当該ラッチ支持面が、前記プラグの前記ラッチの下方に位置して前記ラッチの押下に対抗する第１位置と、前記プラグが前記カバーの前記開口部内に係合すると、前記ラッチの下方に位置することから前記ラッチ支持面を解放する第２位置と、で選択的に配置される、ラッチ支持面と、
を備えることを特徴とするプラグロック組立体。
【請求項２】
前記カバーは、鍵を受けて前記ラッチ支持面の位置を変更する鍵受部材を備えることを特徴とする請求項１に記載のプラグロック組立体。
【請求項３】
前記鍵受部材は、前記鍵が過度に回転することを防止する停止面を備えることを特徴とする請求項２に記載のプラグロック組立体。
【請求項４】
前記カバーは、所定方向における前記ラッチ支持面の移動を防止する停止面をさらに備えることを特徴とする請求項１に記載のプラグロック組立体。
【請求項５】
前記ラッチ支持面は、ほぼ平面であることを特徴とする請求項１に記載のプラグロック組立体。
【請求項６】
前記ラッチ支持面は、曲面を備える回転可能なカムに位置付けられていることを特徴とする請求項１に記載のプラグロック組立体。
【請求項７】
前記カムに当接して位置付け可能であり、前記カムの移動をほぼ防止する腕部を備えるカムラッチをさらに備えることを特徴とする請求項６に記載のプラグロック組立体。
【請求項８】
回転可能な前記カムは、前記カムラッチの前記腕部を受けて前記カムの移動を可能とするスロットをさらに備えることを特徴とする請求項７に記載のプラグロック組立体。
【請求項９】
ラッチを備えるプラグを受けて保持する開口部を有するカバーと、
前記カバーと関連する回転するカムであって、回転する当該カムが、前記プラグが前記カバーの前記開口部内に位置付けられると前記プラグの前記ラッチの下方に位置するように位置付け可能なラッチ支持面を備える、カムと、
を備えており、
前記ラッチ支持面は、当該ラッチ支持面が前記ラッチの下方に位置すると、前記ラッチの押下に対抗することを特徴とするプラグロック組立体。
【請求項１０】
前記カバーは、鍵を受けて回転可能な前記カムの位置を変更する鍵受部材を備えることを特徴とする請求項９に記載のプラグロック組立体。
【請求項１１】
前記鍵受部材は、回転可能な前記カムが過度に回転することを防止する停止面を備えることを特徴とする請求項１０に記載のプラグロック組立体。
【請求項１２】
前記カバーは、所定方向における回転可能な前記カムの移動を防止する停止面をさらに備えることを特徴とする請求項９に記載のプラグロック組立体。
【請求項１３】
前記ラッチ支持面は、前記ラッチから離間する第１位置と、前記ラッチの底面の下方に位置しかつ前記底面と接触する第２位置と、を交互に配置されることを特徴とする請求項９に記載のプラグロック組立体。
【請求項１４】
前記ラッチ支持面は、ほぼ平面であることを特徴とする請求項９に記載のプラグロック組立体。
【請求項１５】
前記カムに当接して位置付け可能であり、前記カムの移動をほぼ防止する腕部を備えるカムラッチをさらに備えることを特徴とする請求項９に記載のプラグロック組立体。
【請求項１６】
回転可能な前記カムと前記カムラッチとの少なくとも一方は、前記カバー内に位置付けられたスロットと係合する保持タブをさらに備えることを特徴とする請求項９に記載のプラグロック組立体。
【請求項１７】
回転可能な前記カムは、前記カムラッチの前記腕部を受けて前記カムの移動を可能とするスロットをさらに備えることを特徴とする請求項１６に記載のプラグロック組立体。
【請求項１８】
ラッチを備えるプラグを受けて保持する開口部を有するカバーと、
前記カバーと関連するカムであって、当該カムが、前記プラグが前記カバーの前記開口部内に位置付けられると前記プラグの前記ラッチの下方に位置するように位置付け可能なラッチ支持面を備える、カムと、
を備えており、
前記ラッチ支持面は、当該ラッチ支持面が前記ラッチの下方に位置すると、前記ラッチの押下に対抗し、
前記カムは、停止面及びスロットをさらに備え、
カムラッチは、腕部を備え、
前記腕部は、前記停止面と当接して前記カムの移動をほぼ防止する第１位置と、前記スロット内に位置して前記カムの移動を可能とする第２位置と、で交互に位置付け可能であることを特徴とするプラグロック組立体。
【請求項１９】
前記カバーは、鍵を受けて前記ラッチ支持面の位置を変更する鍵受部材を備えることを特徴とする請求項１８に記載のプラグロック組立体。
【請求項２０】
前記鍵受部材は、前記鍵が過度に回転することを防止する停止面を備えることを特徴とする請求項１９に記載のプラグロック組立体。
【請求項２１】
前記カバーは、所定方向における前記カムの移動を防止する停止面をさらに備えることを特徴とする請求項１８に記載のプラグロック組立体。
【請求項２２】
前記ラッチ支持面は、前記ラッチから離間する第１位置と、前記ラッチの底面の下方に位置しかつ前記底面と接触する第２位置と、を交互に配置されることを特徴とする請求項１８に記載のプラグロック組立体。
【請求項２３】
前記ラッチ支持面は、ほぼ平面であることを特徴とする請求項１８に記載のプラグロック組立体。
【請求項２４】
前記カムと前記カムラッチとの少なくとも一方は、当該カム及び当該カムラッチを前記カバーに固定する保持タブをさらに備えることを特徴とする請求項１８に記載のプラグロック組立体。
【請求項２５】
前記カムラッチは、当該カムラッチが前記カバー内に固定されていると、前記保持タブへのアクセスを防止する前面を備えることを特徴とする請求項２４に記載のプラグロック組立体。
【請求項２６】
前記ラッチ支持面は、曲面に接続されており、
前記カムは、回転可能であることを特徴とする請求項１８に記載のプラグロック組立体。
【請求項２７】
ラッチを備えるプラグを所定位置に固定するシステムであって、当該システムは、
前記プラグを受けて保持する開口部を備えるカバーであって、当該カバーが、鍵を受ける鍵受部材を備えている、カバーと、
前記カバーと関連するラッチ支持部材であって、当該ラッチ支持部材が、前記カバー内に位置付けられた前記プラグを用いて前記ラッチの移動をほぼ防止する、ラッチ支持部材と、
シャフト、鍵タブ及び制限タブを備える鍵であって、前記鍵タブが、前記鍵受部材と結合し、前記制限タブが、前記ラッチ支持部材が過度に回転することを防止する、鍵と、
を備えることを特徴とするシステム。
【請求項２８】
前記カバーは、前記制限タブと相互に作用して前記ラッチ支持部材が過度に回転することを防止する制限停止部を備えることを特徴とする請求項２７に記載のシステム。
【請求項２９】
前記鍵タブは、前記鍵の一端部に位置付けられており、
前記鍵タブは、第１端部から第２端部に延在し、
曲面は、前記第１及び第２端部を接続することを特徴とする請求項２７に記載のシステム。
【請求項３０】
前記シャフトは、中空であり、鍵穴と係合する内側突出部を備えることを特徴とする請求項２７に記載のシステム。
【請求項３１】
前記制限タブは、前記シャフトの頂面に位置付けられており、角をなす面を備えていることを特徴とする請求項２７に記載のシステム。
【請求項３２】
前記鍵受部材は、前記鍵を回転させている間に前記鍵を当該鍵受部材内に固定する鍵保持縁部をさらに備えることを特徴とする請求項２７に記載のシステム。
【請求項３３】
前記鍵受部材は、１以上の制限停止部をさらに備えることを特徴とする請求項２７に記載のシステム。
【請求項３４】
前記鍵受部材は、前記鍵に位置付けられた前記鍵タブを受ける鍵タブスロットをさらに備えることを特徴とする請求項２７に記載のシステム。
【請求項３５】
前記カバーと関連する回転可能なカムは、前記ラッチ支持面を運ぶことを特徴とする請求項２７に記載のシステム。
【請求項３６】
前記カムと当接して前記カムの移動をほぼ防止するように位置付け可能な腕部をさらに備えることを特徴とする請求項３５に記載のシステム。
【請求項３７】
前記カムと前記ラッチとの少なくとも一方は、当該カム及び当該カムラッチを前記カバーに固定する保持タブをさらに備えることを特徴とする請求項３６に記載のシステム。
【発明の詳細な説明】
【技術分野】
【０００１】
本発明は、プラグロック組立体に関し、特に、カバーとジャック内の所定位置にプラグをロックする固定機構とを備えるプラグロック組立体に関する。また、本発明は、プラグロック組立体と、プラグロック組立体を操作する鍵と、を備えるシステムに関する。
【背景技術】
【０００２】
モジュール接続は、ジャックに固定されたプラグの使用に頼っている。プラグは、主として、ジャック内にプラグを固定するラッチを備える。ラッチは、ジャックから容易に取り外すために押下され、プラグを係合解除し、ツールを使用することなくネットワークからデバイスを接続解除することを可能とする。いくつかの場合において、ラッチは、不意に押下されることがある、または不正なユーザは、ラッチに手を加え、結果的にジャックからプラグを不要に取り外すことがある。
【０００３】
したがって、プラグを保護しかつプラグを関連するジャックから意図せず接続解除されることを防止する必要性がある。
【発明の概要】
【発明が解決しようとする課題】
【０００４】
本発明は、改良されたプラグロック組立体と、ラッチを備えるプラグを所定位置に固定するシステムであって当該システムがプラグロック組立体と鍵とを備えるシステムと、を対象にする。
【課題を解決するための手段】
【０００５】
一態様において、プラグロック組立体は、カバーと、カバーに関連するラッチ支持面と、を備えている。カバーは、ラッチを備えるプラグを受けて保持する開口部を備えている。ラッチ支持面は、プラグがカバーの開口部内に位置するときにプラグのラッチの下方に位置付け可能であり、これにより、ラッチの押下に対抗する。
【０００６】
一形態において、プラグロック組立体は、ラッチを備えるプラグを受けて保持する開口部を備えるカバーと、カバーに関連する回転可能なカムと、を備えている。この形態における回転可能なカムは、プラグがカバーの開口部内に位置付けられているときにプラグのラッチの下方に位置付け可能であるラッチ支持面を備えており、ラッチ支持面は、ラッチ支持面がラッチの下方に位置するときにラッチの押下に対抗する。
【０００７】
別の形態において、プラグロック組立体は、ラッチを備えるプラグを受けて保持する開口部を備えるカバーと、カバーに関連するカムと、カムラッチと、を備えている。カムは、ラッチ支持面と、停止面と、スロットと、を備えている。ラッチ支持面は、ラッチ支持面がラッチの下方に位置しているときにラッチが押下することに対抗する。カムラッチは、選択的に、カムの停止面に当接してカムの移動を防止する第１位置と、カムのスロット内に位置してカムの移動を可能とする第２位置と、に位置付け可能である。
【０００８】
プラグロック組立体は、さまざまな他の機構を備えている。カバーは、鍵を受けてラッチ支持面の位置を変更する鍵受部材を備えている。この鍵受部材は、鍵が過度に回転することを防止する停止面を備えている。同様に、カバーは、所定方向にラッチ支持面が移動することを防止する停止面を備えている。ラッチ支持面は、ほぼ平面であり、曲面を備える回転可能なカムに位置付けられている。ラッチ支持面は、選択的に、ラッチから離間する第１位置と、ラッチの底面の下方に位置しかつ底面と接触する第２位置と、に配置される。回転可能なカムは、カムラッチの腕部を受けてカムの移動を可能とするスロットをさらに備えている。さらに、回転可能なカム及びカムラッチの少なくとも１つは、保持タブを備えており、カバー内に位置付けられたスロットと係合する。
【０００９】
本発明の別態様において、ラッチを備えるプラグを所定位置に固定するシステムは、プラグを受けて保持する開口部を備えるカバーと、カバーに関連するラッチ支持部材と、シャフト、鍵タブ及び制限タブを備える鍵と、を備えている。また、カバーは、鍵を受ける鍵受部材を備えている。ラッチ支持部材は、プラグをカバー内に位置付けた状態で、ラッチの移動をほぼ防止する。鍵の鍵タブは、鍵受部材と結合するように構成されており、制限タブは、シャフトの帳面に位置付けられてラッチ支持部材が過度に回転することを防止する。
【００１０】
システムは、同様に、さらなる機構を備えている。鍵タブは、鍵の一端部に位置付けられており、第１端部から第２端部まで、曲面が第１及び第２端部を接続するように延在している。鍵のシャフトは、中空であり、鍵を係合する内側突出部を備えている。制限タブは、角をなす面を備えている。鍵受部材は、鍵を鍵受部材に固定する鍵保持縁部を備えている。鍵受部材は、同様に、１以上の停止部と、鍵タブを受ける鍵タブスロットと、を備えている。さらに、回転可能なカム及びカムラッチを含むプラグロック組立体のすべての要素は、システムに組み込まれてもよい。
【図面の簡単な説明】
【００１１】
【図１】本発明におけるプラグロック組立体の第１実施形態を示す斜視図である。
【図２】プラグロック組立体と一緒に使用される鍵と共に示す図１の分解組立図である。
【図３】図１のカバーを示す後方斜視図である。
【図４Ａ】図１のカム部材における一実施形態を示す斜視図である。
【図４Ｂ】図４Ａの俯瞰図である。
【図４Ｃ】図４Ａの別の俯瞰図である。
【図５】図１のカムラッチを示す斜視図である。
【図６】図４Ｃ及び図５のカム及びカムラッチ材を組み立て状態で示す斜視図である。
【図７Ａ】プラグがプラグロック組立体内に取り付けた状態を示す図１の斜視図である。
【図７Ｂ】カムの回転軸を通る図７Ａの断面図である。
【図８】図２の鍵を示す斜視図である。
【図９】図６のカム組立体内に係合された図２の鍵を示す斜視図である。
【図１０】図２のツールと第１位置に配置された図４Ａのカム部材と共に示す図１の前方斜視図である。
【図１１】カム部材が第２位置に配置された状態の図１０の前方斜視図である。
【図１２】ロック位置にあるプラグと共に示す図１の前方斜視図である。
【図１３】図１２の下方斜視図である。
【発明を実施するための形態】
【００１２】
図１から図６を参照すると、本発明におけるプラグロック組立体８は、カバー１０、カム３０及びカムラッチ５０を備えている。ロック組立体８は、カム３０を回転させる鍵７０と共に使用される。上述の構成部材は、金属及びプラスチックを含むさまざまな材料で形成されてもよく、機械加工及び射出成形を含む当業者に既知の方法によって構成されてもよい。
【００１３】
ここで、図３及び図７Ａを参照すると、カバー１０は、プラグを受けるような寸法及び形状である開口部１２と、対向する側壁部１４と、内側底面１５と、鍵７０を受ける鍵受部材１６と、（図７Ａに示す）カム保持スロット２６と、（同様に図７Ａに示す）側方停止面２８と、を備えている。内側底面１５は、傾斜面２４及び前方停止面２５によって形成された保持ラッチ２３を備える。保持ラッチ２３は、プラグをカバー１０内に固定する。鍵受部材１６は、鍵保持縁部１７と、制限停止部１８と、鍵タブスロット１９と、をさらに備えている。鍵保持縁部１７は、鍵７０を回転させている間に鍵７０を鍵受部材１６内に固定することを補助する。図３及び図８に示すように、制限停止部１８は、（例えば過度の回転を含む）所定方向におけるラッチ支持面３３の移動を防止し、鍵タブスロット１９は、鍵７０の鍵タブ７２を受ける。図３及び図７Ａそれぞれで最もよく示されているように、カバー１０は、カム３０を受けて保持するカム保持スロット２６をさらに備える。カバー１０の側方停止面２８は、時計回り方向でのカム３０の回転を防止する。図１で最もよく示されているように、カバー１０は、ノッチ部分２７を備えており、ＶＯＩＰ電話で使用される特定の機能のための間隔を形成する。
【００１４】
図４Ａから図４Ｃは、回転可能なカム３０の詳細を図示しており、カム３０は、カバー１０内に位置付けられたプラグのラッチが押下されることを防止することを補助するように構成されている。カム３０は、異なる長さで構成されてもよい。図４Ｂに示す短いカム３０ａは、比較的短いプラグラッチ支持部３２ａを備えており、プラグラッチ支持部３２ａは、カムが到達する領域を遮るパネルまたはフレームの後方に配置された受け口(receptacle)に合わせて構成されている。短いカム３０ａの寸法は、長さが約０．４５インチ（１．１４３ｃｍ）である。図４Ｃに示す長いカム３０ｂは、比較的厚いプラグラッチ支持部３２ｂを有しており、プラグラッチ支持部３２ｂは、受け口と共に使用するように構成されており、受け口は、受け口が取り付けられるパネルと同一平面上またはパネルの面に非常に近接してある。長いプラグラッチ支持部３２ｂは、追加の支持部を形成しており、この支持部は、プラグロック組立体８の重心と受け口の面との間の空間を形成する。長いプラグラッチ支持部３２ｂの寸法は、長さが約０．５８インチ（１．４７３ｃｍ）である。
【００１５】
カム３０は、主として、プラグラッチ支持部３２、スロット３４、カムラッチ停止部３６、鍵穴３８、保持タブ４０及び回転停止部４２を備えている。プラグラッチ支持部３２は、曲面３５に接続されたラッチ支持面３３を備えており、曲面３５は、回転停止部４２へ延在している。プラグラッチ支持部３２は、曲面を有して示されているが、プラグラッチ支持部は、矩形など他の形状を示してもよい。ラッチ支持面３３は、主として、ほぼ平面である。カムラッチ停止部３６と回転停止部４２とは、カム３０が不要に回転することを防止する。図６で最もよく示されているように、カムラッチ停止部３６は、鍵７０が鍵穴３８に挿入されていないと、カムラッチ５０と相互作用して、カム３０の回転を防止する。カム３０は、鍵７０がカムラッチ５０の所定部分をスロット３４へスライドさせるため、鍵穴３８に挿入された鍵７０と共に回転自在である。図７Ａ及び図７Ｂに示すように、回転停止部４２は、カバー１０の側方停止面２８に当接しており、時計回り方向におけるカム３０の回転を防止する。カム３０をカバー１０内に係合するため、保持タブ４０は、図７Ａに示すように、カバー１０の保持スロット２６と係合する。これら状況の下、カム３０は、鍵受部材１６と一直線状になってカバー１０内に固定される。
【００１６】
図５は、カムラッチ５０の詳細を図示しており、カムラッチ５０は、側壁部５２、保持タブ５４、前面５６及びラッチ腕部５８を有している。カムラッチ５０は、カバー１０に形成されたスロット（図示略）内に保持タブ５４を係合させて、カバー１０に固定されている。カムラッチ５０をカバー１０内に固定した状態で、前面５６は、保持タブ５４へのアクセスを妨げる。上述のように、ラッチ腕部５８は、鍵７０が鍵受部材１６及び鍵穴３８内に係合していないとき、カム３０の停止部３６と係合しており、これにより、カム３０の回転を防止しかつプラグラッチ支持部３２を所定位置で保持する。図６は、カム３０及びカムラッチ５０がカバー１０内にあるときにおけるカム３０及びカムラッチ５０の間の関係を図示している。
【００１７】
図８は、鍵７０を図示しており、鍵７０は、カム３０を回転させ、かつプラグロック組立体８をとロック／ロック解除するように構成されている。鍵７０は、シャフト７１、鍵タブ７２及び制限タブ７４を有している。シャフト７１は、中空であり、鍵穴３８と一致する内側突出部７３を備えている。鍵タブ７２は、カバー１０の鍵受部材１６の鍵タブスロット１９と一致するような寸法及び形状となっている。鍵タブ７２は、曲面８１を通って第１端部７７から第２端部７９まで延在する。また、鍵７０は、カム３０が制限タブ７４を介して過度に回転することを防止し、カム３０は、鍵７０がカバー１０の制限停止部１８に突き当たると、鍵７０の回転を防止する。制限タブ７４は、シャフト７１の頂面に位置しており、角をなす面７５を備えている。鍵７０は、製造を容易にするためのコア逃部８５と、危険な鍵の過度の回転が発生すると鍵７０へのブレーキ点を形成する鍵ブレーキ８７と、を備えている。
【００１８】
図１０から図１２は、プラグロック組立体８の段階的な動作を図示している。
【００１９】
プラグロック組立体８を介してジャック（図示略）内にプラグ１００を固定することは、比較的簡単である。鍵７０は、カバー１０の鍵受部材１６へ挿入され、その後、約９０度だけ反時計回りの方向で回転される。鍵７０がカバー１０の鍵受部材１６へ挿入されると、鍵７０は、カム３０の鍵穴３８と係合し、カム３０は、図９から図１１に示すように、鍵タブ７２にラッチ腕部５８を押し付けさせて停止面３６との接触を解除しスロット３４内に押し込む。このため、鍵７０が反時計回りの方向で回転すると、カム３０は、同様に、反時計回りの方向で回転し、図１０に示すように、プラグ１００を受けるために開口部１２を開き、かつカバー１０の内側底面１５に対する横断方向にラッチ支持面３３を位置付ける。
【００２０】
そして、プラグ１００は、開口部１２内に固定される。プラグ１００を開口部１２に挿入すると、プラグは、傾斜面２４を乗り越え、保持ラッチ２３は、プラグ１００のスロット１０２内に載置されるようになる。
【００２１】
次に、プラグ１００をジャックへ挿入することを発生させる。プラグ１００をジャック内で係合させた状態で、鍵７０は、時計回りの方向で回転され、プラグラッチ支持面３３は、図１１及び図１２に示すように、ラッチ１０４の下方に位置しかつラッチ１０４と接触しており、ラッチ１０４を所定位置に固定し、かつラッチ１０４が偶発的にまたは許可されずに押下することを防止することを補助する。そして、鍵７０は、鍵受部材１６から取り外され、プラグラッチ１０４をプラグラッチ支持部３２と係合させたままとし、カムラッチ５０のラッチ腕部５８がカム３０のカムラッチ停止部３６に再度当接することを可能とする。このようにして、ロック組立体８は、プラグ１００をジャック内に固定する。
【００２２】
プラグ１００をジャックから取り外すことは、同様に可能である。プラグ１００をジャック内で係合させた状態で、鍵７０は、カバー１０の鍵受部材１６とカム３０の鍵穴３８とへ再度挿入される。カム３０を反時計回り方向で回転させることにより、プラグラッチ支持部材３２は、プラグ１００のラッチ１０４の下方にあるプラグラッチ支持部材３２の位置から開放される。そして、プラグラッチ１０４は、押下され、その後、プラグ１００は、ジャックから取り外される。次に、プラグロック組立体８は、手で保持ラッチ２３をスロットから取り外し、手でプラグ１００を出すによって、プラグ１００から取り外される。
【００２３】
本発明の特定の実施形態が示されかつ記載されているが、当業者には、変更及び改良が本発明の精神及び範囲から逸脱することなくなされることが明らかである。上述された事項及び添付の図面は、単なる例として提示されており、限定として提示されているものではない。本発明の実際の範囲は、以下の特許請求の範囲で規定されることが意図されている。
【符号の説明】
【００２４】
８  ロック組立体，プラグロック組立体、１０  カバー、１２  開口部、１６  鍵受部材、１７  鍵保持縁部、１８  制限停止部、１９  鍵タブスロット、３２，３２ａ，３２ｂ  プラグラッチ支持部材，プラグラッチ支持部、３３  ラッチ支持面，プラグラッチ支持面、３４  スロット、３５  曲面、３６  停止面，停止部，カムラッチ停止部、４０  保持タブ、４２  回転停止部（停止面，制限停止部）、５０  カムラッチ、５６  前面、５８  ラッチ腕部、７０  鍵、７１  シャフト、７２  鍵タブ、７３  内側突出部、７４  制限タブ、７５  角をなす面、７７  第１端部、７９  第２端部、８１  曲面１００  プラグ、１０４  プラグラッチ，ラッチ
【図１】
2010532552.tif 000003
【図２】
2010532552.tif 000004
【図３】
2010532552.tif 000005
【図４Ａ】
2010532552.tif 000006
【図４Ｂ】
2010532552.tif 000007
【図４Ｃ】
2010532552.tif 000008
【図５】
2010532552.tif 000009
【図６】
2010532552.tif 000010
【図７Ａ】
2010532552.tif 000011
【図７Ｂ】
2010532552.tif 000012
【図８】
2010532552.tif 000013
【図９】
2010532552.tif 000014
【図１０】
2010532552.tif 000015
【図１１】
2010532552.tif 000016
【図１２】
2010532552.tif 000017
【図１３】
2010532552.tif 000018
【国際調査報告】
2010532552.tif 000019
2010532552.tif 000020